(57)【要約】【課題】身と蓋とを有するＣ式の包装用箱において、蓋を身に被せた際に蓋が容易に外れないようにロック機能を有し、かつ、身に対する蓋の開閉が容易な包装用箱を提供する。【解決手段】包装用箱５は、本体部１０と蓋部２００とを有し、本体部１０における側壁部２２、６２等は外壁部と内壁部とで二重に形成され、相対する側壁部２０等には係止部８０等が突出して形成されている。係止部８０を内側に押すと内側に引っ込み、係止部８０を押す力を解除することにより再度外部に突出した状態となる。蓋部２００の側壁部２１０、２２０には、外壁部２１２等にはミシン目により押し抜き可能に形成された押抜き部２１２ａ、２２２ａが設けられ、内壁部２２６等には開口部２２６ａ等が形成されている。蓋部２００を本体部１０に被せると、係止部８０等が蓋部２００の開口部２２６ａ等に係止する。【選択図】図３
0003144829.tif 000002
【実用新案登録請求の範囲】
【請求項１】
身としての紙製の本体部と、本体部に対して開閉する紙製の蓋部とを有する包装用箱であって、
本体部が、
平板状の底部と、
底部の辺部から立設し、外壁部と内壁部とで二重に形成された本体部側壁部で、複数の本体部側壁部における一部の本体部側壁部において、外壁部に開口部が形成された本体部側壁部と、
外壁部に開口部が形成された本体部側壁部に隣接する本体部側壁部の外壁部から折れ線を介して連設され、外壁部に開口部が形成された本体部側壁部における外壁部と内壁部の間の位置に設けられたフラップ部で、本体部側壁部の高さ方向の幅よりも小さい幅の幅狭部と、幅狭部の両側に設けられ幅狭部の上端よりも上方に突出した幅広部とを有するフラップ部と、
フラップ部の幅狭部に設けられた係止部で、幅狭部の上辺から連設された係止部本体と、幅狭部の下辺から折れ線を介して外側に折り曲げて連設された突出片部とを有し、係止部本体が、幅狭部の上辺から折れ線を介して連設され幅狭部の内側に接する垂直板部と、垂直板部の下端から折れ線を介して連設され突出片部の下面に接する水平板部と、水平板部の外側の端部から連設された傾斜板部で水平板部に対して上方かつ内側に傾斜する傾斜板部と、傾斜板部の上端から連設された膨出部でその横方向の幅が幅狭部の横方向の幅よりも大きく形成されその両側が一対の幅広部の内側に係止するとともにその上端が本体部側壁部の内壁部に接するか又は近接する膨出部と、を有し、水平板部の一部と傾斜板部の一部が外壁部の開口部から外部に突出するように形成された係止部と、を有し、
蓋部が、
平板状の天板部と、
天板部の辺部から設けられ、外壁部と内壁部とで二重に形成された蓋部側壁部で、外壁部に開口部が形成された本体部側壁部に対応する蓋部側壁部においては、外壁部にミシン目を介して内側に押抜き可能に形成された押抜き部が形成されるとともに、内壁部における押抜き部に対応する位置に開口部が形成された蓋部側壁部と、を有し、
蓋部を本体部に対して蓋部側壁部が本体部側壁部の外側になるように被せて閉状態とした場合に、係止部の水平板部の一部と傾斜板部の一部が蓋部における蓋部側壁部の開口部に係止し、押抜き部を押して内側に押し抜いた際に、膨出部が湾曲して係止部が内側に押されることにより係止部の係止が解除されて蓋部を本体部に対してスライド可能となり、係止部を押す力を解除することにより膨出部の湾曲が解除されて係止部の水平板部の一部と傾斜板部の一部とが再度外部に突出した状態となることを特徴とする包装用箱。
【請求項２】
本体部において、一対の係止部が相対する本体部側壁部に形成され、蓋部において、本体部側壁部に対応する各蓋部側壁部に開口部及び押抜き部が形成されていることを特徴とする請求項１に記載の包装用箱。
【請求項３】
本体部と蓋部とが、それぞれ１枚のシート状のブランクを組み立てることにより形成されることを特徴とする請求項１又は２に記載の包装用箱。
【請求項４】
身としての紙製の本体部と、本体部に対して開閉する紙製の蓋部とを有する包装用箱であって、
本体部が、１枚のシート状のブランクを組み立てることにより形成され、
方形状の平板状の底部と、
底部の各辺部から立設する本体部側壁部で、底部から折れ線を介して連設された外壁部と、外壁部から折れ線を介して連設された帯状の縁部と、縁部から折れ線を介して連設された内壁部とを有し、４つの本体部側壁部のうち相対する本体部側壁部である第１本体部側壁部において、外壁部に開口部が形成された本体部側壁部と、
第１本体部側壁部に隣接する本体部側壁部である第２本体部側壁部の外壁部から折れ線を介して連設され、第１本体部側壁部における外壁部と内壁部の間の位置に設けられた第１フラップ部で、本体部側壁部の高さ方向の幅よりも小さい幅の幅狭部と、幅狭部の両側に設けられ幅狭部の上端よりも上方に突出した幅広部とを有する第１フラップ部と、
第２本体部側壁部における外壁部及び内壁部の両側の端部から、第１フラップ部が設けられている箇所を除いて、折れ線を介して連設され、第１本体部側壁部における外壁部と内壁部の間の位置に設けられる第２フラップ部と、
第１フラップ部の幅狭部に設けられた係止部で、幅狭部の上辺から連設された係止部本体と、幅狭部の下辺から折れ線を介して外側に折り曲げて連設された突出片部とを有し、係止部本体が、幅狭部の上辺から折れ線を介して連設され幅狭部の内側に接する垂直板部と、垂直板部の下端から折れ線を介して連設され突出片部の下面に接する水平板部と、水平板部の外側の端部から連設された傾斜板部で水平板部に対して上方かつ内側に傾斜する傾斜板部と、傾斜板部の上端から連設された膨出部でその横方向の幅が幅狭部の横方向の幅よりも大きく形成されその両側が一対の幅広部の内側に係止するとともにその上端が本体部側壁部の内壁部に接するか又は近接する膨出部と、を有し、水平板部の一部と傾斜板部の一部が第１本体部側壁部の外壁部の開口部から外部に突出するように形成された係止部と、を有し、
蓋部が、１枚のシート状のブランクを組み立てることにより形成され、
方形状の平板状の天板部と、
天板部の辺部から設けられ、天板部から折れ線を介して連設された外壁部と、外壁部から折れ線を介して連設された帯状の縁部と、縁部から折れ線を介して連設された内壁部とを有し、外壁部に開口部が形成された本体部側壁部に対応する蓋部側壁部においては、外壁部にミシン目を介して内側に押抜き可能に形成された押抜き部が形成されるとともに、内壁部における押抜き部に対応する位置に開口部が形成された蓋部側壁部と、を有し、
蓋部を本体部に対して蓋部側壁部が本体部側壁部の外側になるように被せて閉状態とした場合に、係止部の水平板部の一部と傾斜板部の一部が蓋部における蓋部側壁部の開口部に係止し、押抜き部を押して内側に押し抜いた際に、膨出部が湾曲して係止部が内側に押されることにより係止部の係止が解除されて蓋部を本体部に対してスライド可能となり、係止部を押す力を解除することにより膨出部の湾曲が解除されて係止部の水平板部の一部と傾斜板部の一部とが再度外部に突出した状態となることを特徴とする包装用箱。
【請求項５】
蓋部を本体部に対して被せた状態において、蓋部側壁部の内壁部と本体部側壁部の外壁部との間の隙間が２ｍｍ以上であることを特徴とする請求項１又は２又は３又は４に記載の包装用箱。
【考案の詳細な説明】
【技術分野】
【０００１】
本考案は、包装用箱に関するものであり、特に、身（本体）と蓋とからなるいわゆるＣ式の箱に関するものである。
【背景技術】
【０００２】
従来より、身（本体）と蓋とからなるいわゆるＣ式の箱において、蓋を身に被せた際に蓋が容易に外れないようにロック機能を有するものが存在する。
【０００３】
例えば、特許文献１の蓋付き包装用紙箱は、紙箱本体と蓋体とを有し、紙箱本体の前側壁の上端部に半円状切目から切り起こされる蓋体係止用半円状舌片を設け、蓋体前側壁の内側に係止用舌片係合部としての切欠部を設けて、蓋体係止用半円状舌片が切欠部に係合するようにしたものである。
【０００４】
また、特許文献２の商品包装用折り箱は、身と蓋とからなり、身の外側壁に形成される下部が外方に張り出す翼片と、蓋の内側壁に形成されて翼片の下面が当接する段部とからなるロック手段を設けたものである。
【特許文献１】特開２００２−２９５３６号公報
【特許文献２】特開２０００−１１８５２８号公報
【考案の開示】
【考案が解決しようとする課題】
【０００５】
しかし、上記特許文献１においては、側壁の上端部に切目を入れて切り起こすことにより形成された蓋体係止用半円状舌片を切欠部に係止させるものであるので、蓋体を紙箱に被せた場合に紙箱本体の側壁面と蓋体の内側の面とが離れていると舌片が切欠部に係止できないことから、紙箱本体（身）と蓋体（蓋）とは密着した構成である必要がある。
【０００６】
同様に、特許文献２においても、身の立上り壁に切込みを入れることにより形成された翼片を蓋の内側壁の段部に係止させる構造であるので、蓋を身に被せた場合に身の側壁面と蓋の内側の面とが離れていると翼片が段部に係止できないことから、身と蓋とは密着した構成である必要がある。
【０００７】
上記のように、身と蓋とが密着した構造であると、蓋を身に被せたり、蓋を身から外す場合に、蓋と身の摩擦により開閉が困難であるという問題がある。
【０００８】
そこで、本考案が解決しようとする問題点は、身と蓋とを有するいわゆるＣ式の包装用箱において、蓋を身に被せた際に蓋が容易に外れないようにロック機能を有し、かつ、身に対する蓋の開閉が容易な包装用箱を提供することである。
【課題を解決するための手段】
【０００９】
本考案は上記問題点を解決するために創作されたものであって、第１には、身としての紙製の本体部と、本体部に対して開閉する紙製の蓋部とを有する包装用箱であって、本体部が、平板状の底部と、底部の辺部から立設し、外壁部と内壁部とで二重に形成された本体部側壁部で、複数の本体部側壁部における一部の本体部側壁部において、外壁部に開口部が形成された本体部側壁部と、外壁部に開口部が形成された本体部側壁部に隣接する本体部側壁部の外壁部から折れ線を介して連設され、外壁部に開口部が形成された本体部側壁部における外壁部と内壁部の間の位置に設けられたフラップ部で、本体部側壁部の高さ方向の幅よりも小さい幅の幅狭部と、幅狭部の両側に設けられ幅狭部の上端よりも上方に突出した幅広部とを有するフラップ部と、フラップ部の幅狭部に設けられた係止部で、幅狭部の上辺から連設された係止部本体と、幅狭部の下辺から折れ線を介して外側に折り曲げて連設された突出片部とを有し、係止部本体が、幅狭部の上辺から折れ線を介して連設され幅狭部の内側に接する垂直板部と、垂直板部の下端から折れ線を介して連設され突出片部の下面に接する水平板部と、水平板部の外側の端部から連設された傾斜板部で水平板部に対して上方かつ内側に傾斜する傾斜板部と、傾斜板部の上端から連設された膨出部でその横方向の幅が幅狭部の横方向の幅よりも大きく形成されその両側が一対の幅広部の内側に係止するとともにその上端が本体部側壁部の内壁部に接するか又は近接する膨出部と、を有し、水平板部の一部と傾斜板部の一部が外壁部の開口部から外部に突出するように形成された係止部と、を有し、蓋部が、平板状の天板部と、天板部の辺部から設けられ、外壁部と内壁部とで二重に形成された蓋部側壁部で、外壁部に開口部が形成された本体部側壁部に対応する蓋部側壁部においては、外壁部にミシン目を介して内側に押抜き可能に形成された押抜き部が形成されるとともに、内壁部における押抜き部に対応する位置に開口部が形成された蓋部側壁部と、を有し、蓋部を本体部に対して蓋部側壁部が本体部側壁部の外側になるように被せて閉状態とした場合に、係止部の水平板部の一部と傾斜板部の一部が蓋部における蓋部側壁部の開口部に係止し、押抜き部を押して内側に押し抜いた際に、膨出部が湾曲して係止部が内側に押されることにより係止部の係止が解除されて蓋部を本体部に対してスライド可能となり、係止部を押す力を解除することにより膨出部の湾曲が解除されて係止部の水平板部の一部と傾斜板部の一部とが再度外部に突出した状態となることを特徴とする。
【００１０】
第１の構成の包装用箱においては、蓋部を本体部に被せると、蓋部側壁部が本体部の係止部に接触するが、係止部の傾斜板部に接触するので、側壁部に押されて円滑に係止部が内側に移動する。その後、係止部が蓋部の開口部の位置まで来ると、係止部が外側に復帰して蓋部の内壁部の開口部に係止する。これにより、係止部が蓋部に係止するので、包装用箱を持ち運ぶ際に誤って蓋部のみを持って持ち上げても本体部が落下することがない。      
【００１１】
蓋部を本体部に対して開ける場合には、蓋部側壁部における押抜き部を押すことにより、係止部が内側に押されて係止部の蓋部との係止が解除されるので、蓋部を本体部に対して引き上げることにより蓋部を開けることができる。
【００１２】
なお、上記のように、係止部を押す力を解除することにより係止部が外側に復帰するので、蓋部の押抜き部を破って蓋部を開けた場合でも、再び蓋部を閉じることにより蓋部をロックすることができる。
【００１３】
また、本考案においては、係止部における水平板部の一部と傾斜板部の一部が外部に突出して蓋部と係止するので、水平板部と傾斜板部の外部に突出する長さを長く取ることにより、蓋部の内寸と本体部の外寸の差を大きくすることができ、よって、蓋部を本体部に対して円滑に上下移動させて蓋部を開閉することができる。
【００１４】
また、第２には、上記第１の構成において、本体部において、一対の係止部が相対する本体部側壁部に形成され、蓋部において、本体部側壁部に対応する各蓋部側壁部に開口部及び押抜き部が形成されていることを特徴とする。
【００１５】
また、第３には、上記第１又は第２の構成において、本体部と蓋部とが、それぞれ１枚のシート状のブランクを組み立てることにより形成されることを特徴とする。
【００１６】
また、第４には、身としての紙製の本体部と、本体部に対して開閉する紙製の蓋部とを有する包装用箱であって、本体部が、１枚のシート状のブランクを組み立てることにより形成され、方形状の平板状の底部と、底部の各辺部から立設する本体部側壁部で、底部から折れ線を介して連設された外壁部と、外壁部から折れ線を介して連設された帯状の縁部と、縁部から折れ線を介して連設された内壁部とを有し、４つの本体部側壁部のうち相対する本体部側壁部である第１本体部側壁部において、外壁部に開口部が形成された本体部側壁部と、第１本体部側壁部に隣接する本体部側壁部である第２本体部側壁部の外壁部から折れ線を介して連設され、第１本体部側壁部における外壁部と内壁部の間の位置に設けられた第１フラップ部で、本体部側壁部の高さ方向の幅よりも小さい幅の幅狭部と、幅狭部の両側に設けられ幅狭部の上端よりも上方に突出した幅広部とを有する第１フラップ部と、第２本体部側壁部における外壁部及び内壁部の両側の端部から、第１フラップ部が設けられている箇所を除いて、折れ線を介して連設され、第１本体部側壁部における外壁部と内壁部の間の位置に設けられる第２フラップ部と、第１フラップ部の幅狭部に設けられた係止部で、幅狭部の上辺から連設された係止部本体と、幅狭部の下辺から折れ線を介して外側に折り曲げて連設された突出片部とを有し、係止部本体が、幅狭部の上辺から折れ線を介して連設され幅狭部の内側に接する垂直板部と、垂直板部の下端から折れ線を介して連設され突出片部の下面に接する水平板部と、水平板部の外側の端部から連設された傾斜板部で水平板部に対して上方かつ内側に傾斜する傾斜板部と、傾斜板部の上端から連設された膨出部でその横方向の幅が幅狭部の横方向の幅よりも大きく形成されその両側が一対の幅広部の内側に係止するとともにその上端が本体部側壁部の内壁部に接するか又は近接する膨出部と、を有し、水平板部の一部と傾斜板部の一部が第１本体部側壁部の外壁部の開口部から外部に突出するように形成された係止部と、を有し、蓋部が、１枚のシート状のブランクを組み立てることにより形成され、方形状の平板状の天板部と、天板部の辺部から設けられ、天板部から折れ線を介して連設された外壁部と、外壁部から折れ線を介して連設された帯状の縁部と、縁部から折れ線を介して連設された内壁部とを有し、外壁部に開口部が形成された本体部側壁部に対応する蓋部側壁部においては、外壁部にミシン目を介して内側に押抜き可能に形成された押抜き部が形成されるとともに、内壁部における押抜き部に対応する位置に開口部が形成された蓋部側壁部と、を有し、蓋部を本体部に対して蓋部側壁部が本体部側壁部の外側になるように被せて閉状態とした場合に、係止部の水平板部の一部と傾斜板部の一部が蓋部における蓋部側壁部の開口部に係止し、押抜き部を押して内側に押し抜いた際に、膨出部が湾曲して係止部が内側に押されることにより係止部の係止が解除されて蓋部を本体部に対してスライド可能となり、係止部を押す力を解除することにより膨出部の湾曲が解除されて係止部の水平板部の一部と傾斜板部の一部とが再度外部に突出した状態となることを特徴とする。
【００１７】
この第４の構成の包装用箱においては、蓋部を本体部に被せると、蓋部側壁部が本体部の係止部に接触するが、係止部の傾斜板部に接触するので、側壁部に押されて円滑に係止部が内側に移動する。その後、係止部が蓋部の開口部の位置まで来ると、係止部が外側に復帰して蓋部の内壁部の開口部に係止する。これにより、係止部が蓋部に係止するので、包装用箱を持ち運ぶ際に誤って蓋部のみを持って持ち上げても本体部が落下することがない。蓋部を本体部に対して開ける場合には、蓋部側壁部における押抜き部を押すことにより、係止部が内側に押されて係止部の蓋部との係止が解除されるので、蓋部を本体部に対して引き上げることにより蓋部を開けることができる。
【００１８】
なお、上記のように、係止部を押す力を解除することにより係止部が外側に復帰するので、蓋部の押抜き部を破って蓋部を開けた場合でも、再び蓋部を閉じることにより蓋部をロックすることができる。
【００１９】
また、本考案においては、係止部における水平板部の一部と傾斜板部の一部が外部に突出して蓋部と係止するので、水平板部と傾斜板部の外部に突出する長さを長く取ることにより、蓋部の内寸と本体部の外寸の差を大きくすることができ、よって、蓋部を本体部に対して円滑に上下移動させて蓋部を開閉することができる。
【００２０】
また、第５には、上記第１から第４までのいずれかの構成において、蓋部を本体部に対して被せた状態において、蓋部側壁部の内壁部と本体部側壁部の外壁部との間の隙間が２ｍｍ以上であることを特徴とする。なお、該隙間が、２ｍｍ以上で係止部の外壁部の外面よりも突出した長さよりも小さく形成されているとしてもよい。また、上記第５の構成において、少なくとも、外壁部に押抜き部が形成された蓋部側壁部の内壁部と、外壁部に開口部が形成された本体部側壁部の外壁部との間の隙間が２ｍｍ以上であるものとしてもよい。
【考案の効果】
【００２１】
本考案に基づく包装用箱によれば、蓋部を本体部に被せると、係止部が蓋部に係止するので、包装用箱を持ち運ぶ際に誤って蓋部のみを持って持ち上げても本体部が落下することがない。また、係止部における水平板部の一部と傾斜板部の一部が外部に突出して蓋部と係止するので、水平板部と傾斜板部の外部に突出する長さを長く取ることにより、蓋部の内寸と本体部の外寸の差を大きくすることができ、よって、蓋部を本体部に対して円滑に上下移動させて蓋部を開閉することができる。さらに、係止部を押す力を解除することにより係止部が外側に復帰するので、蓋部の押抜き部を破って蓋部を開けた場合でも、再び蓋部を閉じることにより蓋部をロックすることができる。
【考案を実施するための最良の形態】
【００２２】
本考案においては、身と蓋とを有するいわゆるＣ式の包装用箱において、蓋を身に被せた際に蓋が容易に外れないようにロック機能を有し、かつ、身に対する蓋の開閉が容易な包装用箱を提供するという目的を以下のようにして実現した。
【００２３】
本考案の実施例に基づく包装用箱５は、図１〜図７に示すように構成され、身としての本体部１０と、蓋部２００とを有している。なお、図４に示す本体部１０の展開状態から本体部１０を組み立てる場合には、図４に示す状態において外壁部２２、４２、６２、１０２を底部１２に対して山折りすることになる。なお、以下の説明における組立て方法の説明よりも前までの説明においては、基本的に包装箱の組立て状態における説明であり、例えば、「横方向の長さ」といった場合には、組立て状態における横方向の長さをいうものであり、図４や図５における展開状態で縦方向に示されていても、組立て状態において横方向であれば横方向として説明している。
【００２４】
ここで、本体部１０は、上部が開口した容器状を呈し、底部１２と、底部１２の左側の辺部から立設した側壁部（本体部側壁部（第１本体部側壁部））２０と、底部１２の右側の辺部から立設した側壁部（本体部側壁部（第１本体部側壁部））４０と、底部１２の正面側（Ｙ１側）の辺部から立設した側壁部（本体部側壁部（第２本体部側壁部））６０と、係止部８０と、底部１２の背面側（Ｙ２側）の辺部から立設した側壁部（本体部側壁部（第２本体部側壁部））１００と、係止部１２０とを有し、側壁部２０には係止部８０が設けられ、側壁部４０には係止部１２０が設けられている。この本体部１０は、１枚のシート状のブランク（具体的には、段ボール製（例えば、薄型段ボール製）のブランク）により形成されている。
【００２５】
ここで、底部１２は、本体部１０の底部を構成し、方形状の板状を呈している。
【００２６】
また、側壁部２０は、底部１２の左辺から折れ線を介して連設された板状の外壁部２２と、外壁部２２の上辺から折れ線を介して連設された帯板状の縁部２４と、縁部２４の内側辺から折れ線を介して連設された板状の内壁部２６と、内壁部２６の下端から折れ線を介して連設された板状の突出部２８とを有している。
【００２７】
外壁部２２は、略方形状を呈し、その略中央には略方形状の開口部２２ａが形成されている。外壁部２２の横方向の長さは、底部１２における外壁部２２が接する辺部の長さと略同一に形成されている。縁部２４の横方向の長さは、外壁部２２の横方向の長さと略同一に形成されている。また、内壁部２６は略方形状を呈するが、その横方向の長さは縁部２４の長さよりも小さく形成され、その下端領域においては、両側に突出部２６ａ、２６ｂが形成されている。この突出部２６ａは、側壁部１００の内壁部１０６における切込み１１１ａにより形成された隙間に係止し、突出部２６ｂは、側壁部６０の内壁部６６における切込み７３ａにより形成された隙間に係止するようになっている。突出部２６ａ、２６ｂの形成されている領域の横方向の長さは、外壁部２２の横方向の長さと略同一となっている。また、内壁部２６の高さ方向の長さは、外壁部２２の高さ方向の長さと略同一となっている。また、突出部２８は、内壁部２６から折れ線を介して連設され、略半楕円状に形成されており、内壁部２６と突出部２８の間には略コ字状の切込み３０が形成されている。なお、本体部１０の組立て状態においては、外壁部２２と内壁部２６とは、底部１２に対して垂直に立設し、縁部２４は、外壁部２２や内壁部２６に対して直角となり、突出部２８は、底部１２の上面に当接する。
【００２８】
また、側壁部４０は、側壁部２０と対象（線対象）に形成されていて、底部１２の右辺から折れ線を介して連設された板状の外壁部４２と、外壁部４２の上辺から折れ線を介して連設された帯板状の縁部４４と、縁部４４の内側辺から折れ線を介して連設された板状の内壁部４６と、内壁部４６の下端から折れ線を介して連設された板状の突出部４８とを有している。外壁部４２と、縁部４４と、内壁部４６と、突出部４８の構成は、側壁部２０における外壁部２２と、縁部２４と、内壁部２６と、突出部２８と同様の構成であるので、詳しい説明を省略するが、外壁部４２の略中央には、開口部４２ａが設けられ、内壁部４６の下端領域には、両側に突出部４６ａ、４６ｂが設けられ、内壁部４６と突出部４８間には、略コ字状の切込み５０が設けられている。この突出部４６ａは、側壁部６０の内壁部６６における切込み７１ａにより形成された隙間に係止し、突出部４６ｂは、側壁部１００の内壁部１０６における切込み１１３ａにより形成された隙間に係止するようになっている。なお、本体部１０の組立て状態においては、外壁部４２と内壁部４６とは、底部１２に対して垂直に立設し、縁部４４は、外壁部４２や内壁部４６に対して直角となり、突出部４８は、底部１２の上面に当接する（図６、図７参照）。
【００２９】
また、側壁部６０は、底部１２の正面側の辺から折れ線を介して連設された板状の外壁部６２と、外壁部６２の上辺から折れ線を介して連設された帯板状の縁部６４と、縁部６４の内側辺から折れ線を介して連設された板状の内壁部６６と、外壁部６２の両側の辺部から連設されたフラップ部６８、７０と、内壁部６６の両側の辺部から連設されたフラップ部７２、７４とを有している。フラップ部７０は、上記第１フラップ部に当たり、フラップ部６８、７２、７４は、上記第２フラップ部に当たる。
【００３０】
ここで、外壁部６２は、略方形状を呈し、外壁部６２の横方向の長さは、底部１２における外壁部６２が接する辺部の長さと略同一に形成され、その高さ方向の長さは、外壁部２２の高さ方向の長さと略同一に形成されている。
【００３１】
また、縁部６４の横方向の長さは、外壁部６２の横方向の長さと略同一に形成されているが、内壁部６６側に行くほど長さが若干短くなるようにテーパ状に形成されている。
【００３２】
また、内壁部６６は、略方形状を呈し、その横方向の長さは外壁部６２の長さよりも小さく形成され、その高さ方向の長さは、外壁部６２の高さ方向の長さと略同一に形成されている。
【００３３】
また、フラップ部６８は、外壁部６２の側辺（右側の側辺）から折れ線を介して連設され、略方形状を呈している。
【００３４】
また、フラップ部７０は、外壁部６２の側辺（左側の側辺）から折れ線を介して連設され、外壁部６２から折れ線を介して連設された略方形状の第１幅広部７０ａと、第１幅広部７０ａにおける高さ方向の略中央から連設された略方形状の幅狭部７０ｂと、幅狭部７０ｂから第１幅広部７０ａとは反対側に連設された第２幅広部７０ｃとを有している。この幅狭部７０ｂは、本体部１０を組み立てた際には、側壁部２０における横方向の略中央に位置するように形成され、幅狭部７０ｂの横方向の領域が外壁部２２の開口部２２ａの横方向の領域内に入るように形成されている。また、第２幅広部７０ｃは、略方形状（方形状の下端の一方の角部を面取りした形状）を呈している。
【００３５】
なお、フラップ部７０が上記のように形成されていることから、特に、フラップ部７０の上側は凹状に形成され、第１幅広部７０ａと幅狭部７０ｂと第２幅広部７０ｃとにより囲まれた切欠部が形成されていることになる。
【００３６】
また、フラップ部７０の横方向の長さは、本体部１０を組み立てた際に、フラップ部７０の先端が反対側のフラップ部１１２の外側の面に接触するように構成されている。
【００３７】
また、フラップ部７２は、内壁部６６の側辺（右側の側辺）から折れ線を介して連設され、略方形状を呈している。フラップ部７２と内壁部６６の境界位置には、下端から上方（包装用箱５の組立て状態における下端から上方に（切込み７３ａ、１１１ａ、１１３ａにおいても同じ））に伸びた略Ｌ字状の切込み７１ａと、略コ字状の切込み７１ｂが形成されている。
【００３８】
また、フラップ部７４は、内壁部６６の側辺（左側の側辺）から折れ線を介して連設され、略方形状（方形状の下端の一方の角部を面取りした形状）を呈している。フラップ部７４と内壁部６６の境界位置には、下端から上方に伸びた略Ｌ字状の切込み７３ａと、略コ字状の切込み７３ｂが形成されている。
【００３９】
なお、本体部１０の組立て状態においては、外壁部６２と内壁部６６とは、底部１２に対して垂直に立設し、縁部６４は、外壁部６２や内壁部６６に対して直角となる。また、フラップ部６８、７２は、側壁部４０における外壁部４２と内壁部４６間に挟まれた状態で設けられ、フラップ部７０、７４は、側壁部２０における外壁部２２と内壁部２６間に挟まれた状態で設けられる。
【００４０】
また、係止部８０は、係止部本体８１と、突出片部９０とを有し、係止部本体８１は、幅狭部７０ｂの上端から連設され、幅狭部７０ｂの上端位置から折れ線を介して連設された垂直板部８２と、垂直板部８２における幅狭部７０ｂに対して反対側の端部から折れ線を介して連設された水平板部８４と、水平板部８４における垂直板部８２に対して反対側の端部から折れ線を介して連設された傾斜板部８６と、傾斜板部８６における水平板部８４に対して反対側の端部から連設された膨出部８８とを有し、垂直板部８２と水平板部８４と傾斜板部８６とは全体に方形状を呈し、平行な折れ線を形成することにより各部が形成されている。垂直板部８２と水平板部８４と傾斜板部８６とは同じ幅に形成されている。また、膨出部８８は、垂直板部８２、水平板部８４、傾斜板部８６よりも幅広に形成されていて、係止部８０を組み立てた際、すなわち、係止部８０を幅狭部７０ｂに巻回した際には、膨出部８８が第１幅広部７０ａと第２幅広部７０ｃに係止できるようになっている。また、係止部８０を組み立てた際には、垂直板部８２は、幅狭部７０ｂに平行で幅狭部７０ｂの内側の面に当接して略垂直方向に設けられ、また、水平板部８４は、垂直板部８２に対して略直角で突出片部９０の下面に当接して設けられ、また、傾斜板部８６と膨出部８８とは、水平板部８４に対して傾斜して設けられ、上方にいくほど内側になるように傾斜した状態となる。なお、垂直板部８２と第１幅広部７０ａとの境界線と、垂直板部８２と第２幅広部７０ｃとの境界線は、直線状の切込みにより形成されていて、フラップ部７０と係止部８０とを構成するシート状部材に平行な一対の切込みを入れることにより垂直板部８２が構成される。また、係止部本体８１を構成する各部間の境界位置には、水平板部８４と傾斜板部８６間の境界位置を除き、ミシン目が設けられている。また、膨出部８８には、膨出部８８を第１幅広部７０ａと第２幅広部７０ｃに係止しやすくするために略ハの字状に切込み８８ａ、８８ｂが形成されている。
【００４１】
また、突出片部９０は、幅狭部７０ｂの下端（係止部本体８１に対して反対側の端部）から折れ線を介して連設され、略方形状の板状を呈している。
【００４２】
なお、本体部１０の組立て状態においては、係止部本体８１における水平板部８４や傾斜板部８６は側壁部２０の外壁部２２の開口部２２ａから外部に突出した状態となる（図２、図３等参照）。
【００４３】
また、側壁部１００は、底部１２の背面側の辺から折れ線を介して連設され、側壁部６０と同様の構成となっている。すなわち、側壁部１００は、側壁部６０に対して対称（点対称）に形成されていて、底部１２の背面側の辺から折れ線を介して連設された板状の外壁部１０２と、外壁部１０２の上辺から折れ線を介して連設された帯板状の縁部１０４と、縁部１０４の内側辺から折れ線を介して連設された板状の内壁部１０６と、外壁部１０２の両側の辺部から連設されたフラップ部１０８、１１０と、内壁部１０６の両側の辺部から連設されたフラップ部１１２、１１４とを有している。フラップ部１１０は、上記第１フラップ部に当たり、フラップ部１０８、１１２、１１４は、上記第２フラップ部に当たる。
【００４４】
外壁部１０２と、縁部１０４と、内壁部１０６と、フラップ部１０８、１１０と、フラップ部１１２、１１４の構成は、側壁部６０における外壁部６２と、縁部６４と、内壁部６６と、フラップ部６８、７０と、フラップ部７２、７４と同様の構成であるので詳しい説明を省略するが、フラップ部１１０は、第１幅広部１１０ａと、幅狭部１１０ｂと、第２幅広部１１０ｃを有し、第１幅広部１１０ａと、幅狭部１１０ｂと、第２幅広部１１０ｃの構成は、フラップ部７０における第１幅広部７０ａと、幅狭部７０ｂと、第２幅広部７０ｃと同様の構成となっている。また、フラップ部１１２と内壁部１０６の境界位置には、下端から上方に伸びた略Ｌ字状の切込み１１１ａと、略コ字状の切込み１１１ｂが形成され、フラップ部１１４と内壁部１０６の境界位置には、下端から上方に伸びた略Ｌ字状の切込み１１３ａと、略コ字状の切込み１１３ｂが形成されている。
【００４５】
また、フラップ部１１０の横方向の長さは、本体部１０を組み立てた際に、フラップ部１１０の先端が反対側のフラップ部７２の外側の面に接触するように構成されている。        
【００４６】
なお、本体部１０の組立て状態においては、外壁部１０２と内壁部１０６とは、底部１２に対して垂直に立設し、縁部１０４は、外壁部１０２や内壁部１０６に対して直角となる。また、フラップ部１１０、１１４は、側壁部４０における外壁部４２と内壁部４６間に挟まれた状態で設けられ、フラップ部１０８、１１２は、側壁部２０における外壁部２２と内壁部２６間に挟まれた状態で設けられる。
【００４７】
また、係止部１２０は、係止部本体１２１と、突出片部１３０とを有し、係止部本体１２１は、係止部本体８１と同様の構成となっているので詳しい説明を省略するが、係止部本体１２１は、垂直板部１２２と、水平板部１２４と、傾斜板部１２６と、膨出部１２８とを有し、垂直板部１２２と、水平板部１２４と、傾斜板部１２６と、膨出部１２８とは、係止部本体８１における垂直板部８２と、水平板部８４と、傾斜板部８６と、膨出部８８と同様の構成となっている。なお、係止部本体１２１を構成する各部間の境界位置には、水平板部１２４と傾斜板部１２６間の境界位置を除き、ミシン目が設けられている。また、膨出部１２８には、膨出部１２８を第１幅広部１１０ａと第２幅広部１１０ｃに係止しやすくするために略ハの字状に切込み１２８ａ、１２８ｂが形成されている。
【００４８】
また、突出片部１３０は、幅狭部１１０ｂの下端（係止部本体１２１に対して反対側の端部）から折れ線を介して連設され、略方形状の板状を呈している。
【００４９】
なお、本体部１０の組立て状態においては、係止部本体１２１における水平板部１２４や傾斜板部１２６は側壁部４０の外壁部４２の開口部４２ａから外部に突出した状態となる（図６、図７等参照）。
【００５０】
また、係止部本体８１（１２１）における膨出部８８（１２８）の長さは、係止部８０（１２０）が側壁部２２（４２）から突出した状態でも膨出部８８（１２８）の上端が内壁部２６（４６）に近接又は接触するように形成されていて、これにより、係止部８０（１２０）を内壁部２６（４６）に押した場合には、膨出部８８（１２８）が湾曲し（図１１参照）、係止部８０（１２０）を押す力を解除することにより、湾曲した膨出部８８（１２８）が平板状に復帰し、係止部８０（１２０）が外側に復帰することになる。なお、図６等では、膨出部１２８の上端は内壁部４６に近接するように描かれているが、膨出部１２８の上端が内壁部４６に接触するようにしてもよい。また、この係止部８０（１２０）の復帰に関しては、係止部８０（１２０）はフラップ部７０（１１０）から連設されており、フラップ部７０（１１０）は外壁部６２（１０２）から連設されていて、フラップ部７０（１１０）は外壁部２２（４２）と内壁部２６（４６）の間においては基本的に外壁部２２（４２）側に位置しているので、その点からしても係止部８０（１２０）が外側に復帰することになる。また、フラップ部７０（１１０）は、反対側のフラップ部１１２（７２）と接触する長さに形成されているので、係止部８０（１２０）が押されると、これに伴いフラップ部７０（１１０）がフラップ部１１２（７２）に接触するので、これによっても、係止部８０（１２０）が外側に復帰することになる。
【００５１】
次に、蓋部２００について説明する。蓋部２００は、本体部１０に被せて使用する蓋状を呈し、天板部２０２と、天板部２０２の左側の辺部から下方に形成された側壁部（蓋部側壁部）２１０と、底部１２の右側の辺部から下方に形成された側壁部（蓋部側壁部）２２０と、底部１２の正面側（Ｙ１側）の辺部から下方に形成された側壁部（蓋部側壁部）２３０と、底部１２の背面側（Ｙ２側）の辺部から下方に形成された側壁部（蓋部側壁部）２５０とを有している。この蓋部２００は、１枚のシート状のブランク（具体的には、段ボール製（例えば、薄型段ボール製）のブランク）により形成されている。
【００５２】
ここで、天板部２０２は、蓋部２００の上面部を構成し、方形状の板状を呈している。
【００５３】
また、側壁部２１０は、天板部２０２の左辺から折れ線を介して連設された板状の外壁部２１２と、外壁部２１２の下辺から折れ線を介して連設された帯板状の縁部２１４と、縁部２１４の内側辺から折れ線を介して連設された板状の内壁部２１６とを有している。
【００５４】
外壁部２１２は、略方形状を呈し、その略中央には略方形状にミシン目が形成され、このミシン目に囲まれた領域が押抜き部２１２ａとなる。なお、略方形状のミシン目のうち上辺を除く三方においては、上辺よりミシン目のピッチが細かく形成され、押抜き部２１２ａを側方から押した場合には、押抜き部２１２ａの上端を中心に回動して抜けるようになっている。外壁部２１２の横方向の長さは、天板部２０２における外壁部２１２が接する辺部の長さと略同一に形成されている。縁部２１４の横方向の長さは、外壁部２１２の横方向の長さと略同一に形成されている。また、内壁部２１６は略方形状を呈するが、その横方向の長さは縁部２１４の長さよりも小さく形成され、その上端領域においては、両側に突出部２１６ｂ、２１６ｃが形成されている。この突出部２１６ｂは、側壁部２５０の内壁部２５６における切込み２６１により形成された隙間に係止し、突出部２１６ｃは、側壁部２３０の内壁部２３６における切込み２４３により形成された隙間に係止するようになっている。突出部２１６ｂ、２１６ｃの形成されている領域の横方向の長さは、外壁部２１２の横方向の長さと略同一となっている。また、内壁部２１６の高さ方向の長さは、外壁部２１２の高さ方向の長さと略同一となっている。また、内壁部２１６の略中央には、略方形状の開口部２１６ａが形成されていて、この開口部２１６ａは、係止部本体８１における側壁部２０から外部に突出した部分が挿通できる大きさを有している。なお、蓋部２００の組立て状態においては、外壁部２１２と内壁部２１６とは、天板部２０２に対して垂直に設けられ、縁部２１４は、外壁部２１２や内壁部２１６に対して直角となる。
【００５５】
また、側壁部２２０は、側壁部２１０と対象（線対象）に形成されていて、天板部２０２の右辺から折れ線を介して連設された板状の外壁部２２２と、外壁部２２２の下辺から折れ線を介して連設された帯板状の縁部２２４と、縁部２２４の内側辺から折れ線を介して連設された板状の内壁部２２６とを有している。外壁部２２２と、縁部２２４と、内壁部２２６の構成は、側壁部２１０における外壁部２１２と、縁部２１４と、内壁部２１６と同様の構成であるので、詳しい説明を省略するが、外壁部２２２の略中央には略方形状にミシン目が形成され、このミシン目に囲まれた領域が押抜き部２２２ａとなる。押抜き部２１２ａと同様に、略方形状のミシン目のうち上辺を除く三方においては、上辺よりミシン目のピッチが細かく形成され、押抜き部２２２ａを側方から押した場合には、押抜き部２２２ａの上端を中心に回動して抜けるようになっている（図１１参照）。また、その上端領域においては、両側に突出部２２６ｂ、２２６ｃが形成されていて、突出部２２６ｂは、側壁部２５０の内壁部２５６における切込み２６３により形成された隙間に係止し、突出部２２６ｃは、側壁部２３０の内壁部２３６における切込み２４１により形成された隙間に係止するようになっている。
【００５６】
また、側壁部２３０は、天板部２０２の正面側の辺から折れ線を介して連設された板状の外壁部２３２と、外壁部２３２の下辺から折れ線を介して連設された帯板状の縁部２３４と、縁部２３４の内側辺から折れ線を介して連設された板状の内壁部２３６と、外壁部２３２の両側の辺部から連設されたフラップ部２３８、２４０と、内壁部２３６の両側の辺部から連設されたフラップ部２４２、２４４とを有している。
【００５７】
ここで、外壁部２３２は、略方形状を呈し、外壁部２３２の横方向の長さは、天板部２０２における外壁部２３２が接する辺部の長さと略同一に形成され、その高さ方向の長さは、外壁部２１２の高さ方向の長さと略同一に形成されている。
【００５８】
また、縁部２３４の横方向の長さは、外壁部２３２の横方向の長さと略同一に形成されているが、内壁部２３６側に行くほど長さが若干短くなるようにテーパ状に形成されている。
【００５９】
また、内壁部２３６は、略方形状を呈し、その横方向の長さは外壁部２３２の長さよりも小さく形成され、その高さ方向の長さは、外壁部２３２の高さ方向の長さと略同一に形成されている。
【００６０】
また、フラップ部２３８は、外壁部２３２の側辺（右側の側辺）から折れ線を介して連設され、略方形状を呈している。
【００６１】
また、フラップ部２４０は、外壁部２３２の側辺（左側の側辺）から折れ線を介して連設され、略方形状を呈している。
【００６２】
また、フラップ部２４２は、内壁部２３６の側辺（右側の側辺）から折れ線を介して連設され、略方形状を呈している。フラップ部２４２と内壁部２３６の境界位置には、上端から下方に（包装用箱５の組立て状態における上端から下方に（切込み２４３、２６１、２６３においても同じ））伸びた略Ｌ字状の切込み２４１が形成されている。
【００６３】
また、フラップ部２４４は、内壁部２３６の側辺（左側の側辺）から折れ線を介して連設され、略方形状を呈している。フラップ部２４４と内壁部２３６の境界位置には、上端から下方に伸びた略Ｌ字状の切込み２４３が形成されている。
【００６４】
なお、蓋部２００の組立て状態においては、外壁部２３２と内壁部２３６とは、天板部２０２に対して垂直となり、縁部２３４は、外壁部２３２や内壁部２３６に対して直角となる。また、フラップ部２３８、２４２は、側壁部２２０における外壁部２２２と内壁部２２６間に挟まれた状態で設けられ、フラップ部２４０、２４４は、側壁部２１０における外壁部２１２と内壁部２１６間に挟まれた状態で設けられる。
【００６５】
また、側壁部２５０は、天板部２０２の背面側の辺から折れ線を介して連設され、側壁部２３０と同様の構成となっている。すなわち、側壁部２５０は、側壁部２３０に対して対称（線対称）に形成されていて、天板部２０２の背面側の辺から折れ線を介して連設された板状の外壁部２５２と、外壁部２５２の下辺から折れ線を介して連設された帯板状の縁部２５４と、縁部２５４の内側辺から折れ線を介して連設された板状の内壁部２５６と、外壁部２５２の両側の辺部から連設されたフラップ部２５８、２６０と、内壁部２５６の両側の辺部から連設されたフラップ部２６２、２６４とを有している。
【００６６】
外壁部２５２と、縁部２５４と、内壁部２５６と、フラップ部２５８、２６０と、フラップ部２６２、２６４の構成は、側壁部２３０における外壁部２３２と、縁部２３４と、内壁部２３６と、フラップ部２４０、２３８と、フラップ部２４４、２４２と同様の構成であるので詳しい説明を省略するが、フラップ部２６２と内壁部２５６の境界位置には、上端から下方に伸びた略Ｌ字状の切込み２６１が形成され、フラップ部２６４と内壁部２５６の境界位置には、上端から下方に伸びた略Ｌ字状の切込み２６３が形成されている。
【００６７】
なお、蓋部２００の組立て状態においては、外壁部２５２と内壁部２５６とは、天板部２０２に対して垂直となり、縁部２５４は、外壁部２５２や内壁部２５６に対して直角となる。また、フラップ部２６０、２６４は、側壁部２２０における外壁部２２２と内壁部２２６間に挟まれた状態で設けられ、フラップ部２５８、２６２は、側壁部２１０における外壁部２１２と内壁部２１６間に挟まれた状態で設けられる。
【００６８】
なお、本体部１０と蓋部２００の組立て状態においては、蓋部２００の内寸は本体部１０の外寸よりも大きく形成されていて、蓋部２００のＹ１−Ｙ２方向の内寸β１は、本体部１０のＹ１−Ｙ２方向の外寸α１よりも大きく形成され、蓋部２００のＸ１−Ｘ２方向の内寸β２は、本体部１０のＸ１−Ｘ２方向の外寸α２よりも大きく形成されていて、内寸と外寸との差（β１−α１及びβ２−α１）は、２ｍｍ以上で係止部８０、１２０の突出長さＴよりも小さく形成されている。これにより、蓋部２００を本体部１０に被せた状態における本体部１０の外側面と蓋部２００の内側面の隙間Ｓ（図６参照）は、２ｍｍ以上で長さＴよりも小さく形成されている。
【００６９】
上記構成の包装用箱５の組立て方法について説明する。まず、本体部１０の組立て方法について説明する。図８に示すように、側壁部６０、１００とフラップ部６８、７０、７２、７４、１０８、１１０、１１２、１１４を立設した状態とする。すなわち、側壁部６０と側壁部１００とを底部１２に対して立設させ、フラップ部６８、７０を外壁部６２に対して直角となるように折り曲げ、フラップ部７２、７４を内壁部６６に対して直角となるように折り曲げ、さらに、フラップ部１０８、１１０を外壁部１０２に対して直角となるように折り曲げ、フラップ部１１２、１１４を内壁部１０６に対して直角となるように折り曲げる。なお、予め係止部８０と係止部１２０を後述のように組み立てた上で、側壁部６０、１００とフラップ部６８等を立設した状態としてもよい。
【００７０】
次に、図９に示すように、係止部本体８１を幅狭部７０ｂに対して内側に折り曲げて、垂直板部８２を幅狭部７０ｂに内側に当接させ、係止部本体８１の垂直板部８２よりも先の部分を幅狭部７０ｂの下方から外側に引き出す。その際、突出片部９０は、外側に幅狭部７０ｂに対して直角に折れ曲がり、幅狭部７０ｂの下面は水平板部８４の上面に当接する。
【００７１】
次に、傾斜板部８６を水平板部８４に対して折り曲げて、膨出部８８を第１幅広部７０ａと第２幅広部７０ｃの間に挿通して、第１幅広部７０ａと第２幅広部７０ｃに係止させる（図１０参照）。以上のように、係止部８０を組み立てることにより、水平板部８４と傾斜板部８６とが鋭角をなして尖った形状をなし、外部に突出した形状となる。係止部１２０についても、上記係止部８０と同様にして組み立てる。
【００７２】
次に、側壁部２０、４０の外壁部２２、４２を底部１２に対して折り曲げて立設させ、縁部２４、４４を水平に折り曲げ、さらに、内壁部２６、４６を縁部２４、４４に対して折り曲げ、突出部２６ａを切込み１１１ａにより形成された隙間に係止させ、突出部２６ｂを切込み７３ａにより形成された隙間に係止させ、さらには、突出部４６ａを切込み７１ａにより形成された隙間に係止させ、突出部４６ｂを切込み１１３ａにより形成された隙間に係止させる。その際、突出部２８、４８は、底部１２の上面に当接することになる。以上のようにして、本体部１０が組み立てられる。
【００７３】
なお、図４に示す本体部１０の展開状態から本体部１０を組み立てる場合には、図４に示す状態において外壁部２２、４２、６２、１０２を底部１２に対して山折りすることになるが、谷折りしてもよい。その場合には、特に、フラップ部７０の横方向の向きが逆になることになる。
【００７４】
次に、蓋部２００の組立て方法について説明する。なお、図面においては、図５に示す蓋部２００の展開状態から蓋部２００を組み立てる場合には、図５に示す状態において外壁部２１２、２２２、２３２、２５２を天板部２０２に対して谷折りする例を示しているが、山折りしてもよい。
側壁部２３０、２５０とフラップ部２５８、２６０、２６２、２６４、２３８、２４０、２４２、２４４を立設した状態とする。すなわち、側壁部２３０と側壁部２５０とを天板部２０２に対して直角に折り曲げ、フラップ部２３８、２４０を外壁部２３２に対して直角となるように折り曲げ、フラップ部２４２、２４４を内壁部２３６に対して直角となるように折り曲げ、さらに、フラップ部２５８、２６０を外壁部２５２に対して直角となるように折り曲げ、フラップ部２６２、２６４を内壁部２５６に対して直角となるように折り曲げる。
【００７５】
その後、側壁部２１０の外壁部２１２及び側壁部２２０の外壁部２２２を天板部２０２に対して折り曲げて、縁部２１４、２２４を水平に折り曲げ、さらに、内壁部２１６、２２６を縁部２１４、２２４に対して折り曲げ、突出部２１６ｂを切込み２６１により形成された隙間に係止させ、突出部２１６ｃを切込み２４３により形成された隙間に係止させ、さらには、突出部２２６ｂを切込み２６３により形成された隙間に係止させ、突出部２２６ｃを切込み２４１により形成された隙間に係止させる。以上のようにして、蓋部２００が組み立てられる。
【００７６】
次に、上記構成の包装用箱５の使用状態について説明する。本体部１０内に被収納物を収納したら蓋部２００を本体部１０に被せる。その際、蓋部２００の内寸と本体部１０の外寸の差は２ｍｍ以上に形成されているので、円滑に蓋部２００を本体部１０に対して閉じることができる。
【００７７】
蓋部２００を閉じる際に、側壁部２１０、２２０が係止部８０、１２０に接触するが、係止部８０、１２０の傾斜板部８６、１２６に接触するので、側壁部２１０、２２０に押されて円滑に係止部８０、１２０が内側に移動する。その後、係止部８０、１２０が蓋部２００の開口部２１６ａ、２２６ａの位置まで来ると、係止部８０、１２０が外側に復帰して蓋部２００の内壁部２１６、２２６の開口部２１６ａ、２２６ａに係止する（図６参照）。
【００７８】
このように、係止部８０、１２０が蓋部２００に係止するので、包装用箱５を持ち運ぶ際に誤って蓋部２００のみを持って持ち上げても本体部１０が落下することがない。
【００７９】
次に、蓋部２００を本体部１０に対して開ける場合には、蓋部２００の側壁部２２２における押抜き部２２２ａと側壁部２１２における押抜き部２１２ａを押すことにより、押抜き部２１２ａ、２２２ａの上辺を除く三辺を破って内側に回動させる（図１１参照）。すると、係止部８０、１２０が内側に押されて、係止部８０、１２０の蓋部２００との係止が解除されるので、蓋部２００を本体部１０に対して引き上げることにより蓋部２００を開けることができる。
【００８０】
なお、上記のように、係止部８０（１２０）を押す力を解除することにより係止部８０（１２０）が外側に復帰するので、蓋部２００の押抜き部２１２ａ、２２２ａを破って蓋部２００を開けた場合でも、再び蓋部２００を閉じることにより蓋部２００をロックすることができる。その際には、押抜き部２１２ａ、２２２ａが係止部８０、１２０を押した状態にならないように押抜き部２１２ａ、２２２ａをもとの位置に戻しておくことが望ましい。そして、蓋部２００を開ける場合には、再び押抜き部２１２ａ、２２２ａを押して係止部８０、１２０を解除し、蓋部２００を持ち上げて蓋部２００を開ければよい。以上のように、本実施例の包装用箱５は繰り返し蓋部２００を開閉して使用することができる。
【００８１】
以上のように、本実施例の包装用箱５によれば、係止部８０、１２０が蓋部２００に係止するので、包装用箱５を持ち運ぶ際に誤って蓋部２００のみを持って持ち上げても本体部１０が落下することがない。また、係止部８０、１２０の水平板部８４、１２４の一部と傾斜板部８６、１２６の一部が外部に突出し、蓋部２００に係止する構造となっているので、水平板部８４、１２４と傾斜板部８６、１２６の外部に突出する長さを長く取ることにより、蓋部２００の内寸と本体部１０の外寸の差を大きくすることができ、よって、蓋部２００を本体部１０に対して円滑に上下移動させて蓋部２００を開閉することができる。特に、本実施例では、蓋部２００の内寸と本体部１０の外寸の差は２ｍｍ以上に形成されているので、蓋部２００を円滑に本体部１０に対して開閉することができる。
【００８２】
なお、上記の説明においては、本体部１０及び蓋部２００は平面視において四角形状のものを例としたが、他の多角形のものでもよい。その際、偶数角形（例えば、六角形、八角形等）の場合には、本体部の相対する側壁部に係止部を設け、蓋部の相対する側壁部に係止部が係止する開口部を設けることになり、また、奇数角形（例えば、三角形、五角形等）の場合には、本体部においては、１つの係止部が設けられた側壁部に対して相対する２つの側壁部のうちのいずれかに他の係止部を設け、蓋部においても、１つの開口部が設けられた側壁部に対して相対する２つの側壁部のうちのいずれかに他の開口部を設ける。
【図面の簡単な説明】
【００８３】
【図１】本考案の実施例に基づく包装用箱の斜視図である。
【図２】本考案の実施例に基づく包装用箱の上方分解斜視図である。
【図３】本考案の実施例に基づく包装用箱の下方分解斜視図である。
【図４】本体部の展開図である。
【図５】蓋部の展開図である。
【図６】包装用箱の図１に示すＰ−Ｐ線に基づく要部断面図である。
【図７】本体部の図２に示すＱ−Ｑ線に基づく要部断面図である。
【図８】本体部の組立て工程を示す斜視図である。
【図９】本体部の組立て工程を示す斜視図である。
【図１０】本体部の組立て工程を示す斜視図である。
【図１１】押抜き部を押して係止部の係止を解除する際の状態を示す要部断面図である。
【符号の説明】
【００８４】
５  包装用箱
１０  本体部
１２  底部
２０、４０、６０、１００、２１０、２２０、２３０、２５０  側壁部
２２、４２、６２、１０２、２１２、２２２、２３２、２５２  外壁部
２２ａ、４２ａ、２１６ａ、２２６ａ  開口部
２４、４４、６４、１０４、２１４、２２４、２３４、２５４  縁部
２６、４６、６６、１０６、２１６、２２６、２３６、２５６  内壁部
６８、７０、７２、７４、１０８、１１０、１１２、１１４、２３８、２４０、２４２、２４４、２５８、２６０、２６２、２６４  フラップ部
７０ａ、１１０ａ  第１幅広部
７０ｂ、１１０ｂ  幅狭部
７０ｃ、１１０ｃ  第２幅広部
８０、１２０  係止部
８１、１２１  係止部本体
８２、１２２  垂直板部
８４、１２４  水平板部
８６、１２６  傾斜板部
８８、１２８  膨出部
９０、１３０  突出片部
２００  蓋部
２０２  天板部
２１２ａ、２２２ａ  押抜き部
【図１】
0003144829.tif 000003
【図２】
0003144829.tif 000004
【図３】
0003144829.tif 000005
【図４】
0003144829.tif 000006
【図５】
0003144829.tif 000007
【図６】
0003144829.tif 000008
【図７】
0003144829.tif 000009
【図８】
0003144829.tif 000010
【図９】
0003144829.tif 000011
【図１０】
0003144829.tif 000012
【図１１】
0003144829.tif 000013